(57)【要約】      （修正有）【課題】複雑なデータ処理を必要とするネットワーク非接続装置の簡素化、小型化、高度化、汎用化を提供する。【解決手段】ネットワーク非接続装置（例えばラベルプリンター）に出力したい内容を、携帯メールで、商品のサポートサイトにメール送信します。サポートサーバーではメールの内容を印字フォントに変換し、携帯着メロ情報に盛りこませて返信（もしくはファイルサーバーより提供）します。ユーザーは、返信された着メロをネットワーク非接続装置に音響転送する。これにより、非接続装置のラベルプリンターから専用のキーボード・液晶表示・処理プロセッサ・フォントデータベースなどの編集機能を省略することが出来ます。【選択図】図２
2006129408.tif 000002
【特許請求の範囲】
【請求項１】
インターネットワークに接続された携帯電話端末の着メロ音響情報に汎用デジタル情報を符号化する方式。また、符号化された着メロ音響情報を再生しインターネットワーク非接続装置に必要とされる汎用データを転送する方式。
【請求項２】
携帯電話端末の着メロ音響機能であるＡＤＰＣＭコーデックを活用し、汎用のデジタル情報を符号化（音響波形の成形）する技術。および、携帯電話端末で着メロ音響情報を再生し音響空間より符号化された汎用のデジタル情報を解読する技術。
【請求項３】
従来の簡易ディスプレー商品において、請求項１の着メロ音響転送方式を活用しインターネットワークから表示フォントデータを提供することにより、商品の付加機能である編集機能を省略し、簡素化および汎用化をはかること。
【請求項４】
簡易ラベルプリンター商品において、請求項１の着メロ音響転送方式を活用しインターネットワークから印字フォントデータを提供することにより、商品の付加機能である編集機能を省略し、簡素化および汎用化をはかること。
【請求項５】
請求項１の着メロ音響転送方式を活用し、家電用リモコン装置の制御コードをインターネットワーク情報から提供することにより商品の汎用化および高度化をはかること。
【発明の詳細な説明】
【技術分野】
【０００１】インターネットワークに接続された携帯電話端末の着メロ音響情報を活用し、インターネットワーク非接続装置のデータ補強を可能とする汎用データ転送方式に関する。
【背景技術】
【０００２】  従来のコンピューター技術には磁気テープを活用しデジタルデータの音響保存・再生を行うインターフェイス技術が有ります。また、専用の音響モデム装置を活用してコンピューター間のデータ伝送を行う技術が有ります。【０００３】  一方、音響情報のデジタルコーデック技術ではアナログ信号をデジタルデータに変換し、また、デジタルデータをアナログ信号に変換する技術があります。【０００４】  本発明は、上記の従来技術の組み合わせを活用し実現しています。従来の音響モデム装置では、転送するビット情報に応じて音響情報を変化させる伝送方式をハード主体により実現しているのに対して、本発明は音響情報のデジタルコーデック技術を活用し、ビット情報に応じた音響波形をソフトアェアで符号化することを特徴とします。また、作成された音響波形はインターネットワークに接続された携帯電話端末の着メロ再生機能により音響空間で転送することを特徴とします。【０００５】  本発明は、携帯電話端末を活用しインターネットワーク上で処理したデータをインターネットワーク非接続装置に転送し、非接続装置のデータ処理補強を行うことを目的としています。これにより、インターネットワークに接続することがさほど無意味な商品においても更なる高度化、簡素化、小型化、汎用化を実現することを特徴とします。
【発明の開示】
【発明が解決しようとする課題】
【０００６】汎用のデジタル情報を携帯電話の着信メロディーファイルの音響情報に加工し、携帯電話端末の着メロファイル音響再生により加工された汎用デジタルデータの転送（音響空間）を可能とします。この方式により携帯電話端末を使用したインターネットワークとインターネットワーク非接続装置間のインターフェイスを可能とします。このことは、複雑なデータ処理を必要とするネットワーク非接続装置において、インターネットワークからのデータ補強が可能となり、非接続装置の簡素化、小型化、高度化、汎用化が実現できます。
【課題を解決するための手段】
【０００７】  携帯電話端末を活用した汎用デジタル情報の音響加工と、データ転送方式の具体は、汎用のデジタルデータを携帯電話の着メロ音響情報に符号化することで可能となります。携帯電話の音響用シンセサイザにおいて、４ＫＨｚサンプリングＡＤＰＣＭコーデックを使用した場合、１６０００ＢＰＳの音響情報に対して音響帯域で２０００ＢＰＳの汎用データの符号化と解読を安定かつ安易に行うことが出来ます。本方式では、音響データをヘッダー部（識別）とボディー部（データ）で構成します。ヘッダー部では、プリアンブルビットパターンを利用し音響波形の位相判定とボディー部の先頭位置を表現します。その後、ヘッダー部に続く汎用データを位相判定結果に基づいてビット再生します。
【発明の効果】
【０００８】  本発明は、携帯電話端末を活用してインターネットワークを活用した技術をインターネットワーク非接続装置に転送することを可能とします。このことは、携帯電話端末のインターネットワーク接続普及から、屋外など物理的にインターネット接続が不可能な装置端末やインターネットワーク接続がさほど無意味な商品に対しても、ネットワークサーバーを活用したデータ補強を行うことが可能となります。これにより、非接続装置の更なる高度化・簡素化・小型化・汎用化を実現することが出来ます。
【発明を実施するための最良の形態】
【０００９】  本発明は、インターネットワークとインターネットワーク非接続装置をインターフェイスし、商品の簡素化・高度化・汎用化を実現するものです。そのため、非接続装置の目的とするデータ処理を行うインターネットワークサーバー環境を必要とします。
【実施例】
【００１０】  携帯端末のメール機能でメッセージを編集しインターネットワークメールサーバーに配信します。サポートサーバー側では、メッセージを翻訳するなど目的とするデータ処理を行い、処理結果を着信メロディーファイルに変換して返信（もしくはファイルサーバー上で提供）します。ユーザーは携帯端末で着メロ再生を行い、非接続装置にデータ転送を行います。【００１１】  また、個々の非接続装置が必要とするデータを、着信メロディーファイルに情報化し、インターネットワーク情報として提供します。ユーザーは必要とする情報化された着メロファィルを携帯端末にダウンロードし音響再生により非接続装置に転送します。
【産業上の利用可能性】
【００１２】  ＬＥＤを使用した簡易ディスプレーの商品化では、表示データを携帯メールで編集し送信すると、編集された文字フォントデータをメールサーバーで返信します。これにより、簡易ディスプレー側では、付加機能のエディター処理部やフォントデータベースを省略することが出来ます。従って商品の著しい簡素化が実現出来ます。また、フォントデータベースの拡張提供やアップデートなど汎用化が実現出来ます。【００１３】  事務（家庭）用品に見られるラベルプリンターの商品化においても同様であり、プリント機能に限定した簡素化が図れます。また、写メールなどの画像データについてもサーバー側で必要な処理を行えばプリント出力を簡単に行うことができます。【００１４】  家電製品のリモコン装置では、各社製品の制御データをネットワーク上で提供することにより、リモコン機能の追加や併用など汎用性が広がります。
【図面の簡単な説明】
【図１】 
【００１５】  ａ．では、符号化着メロファイルの構成を示します。ファイルは転送データの先頭位置および音響位相を判定するためのヘッダー部と、不規則な転送データが連続するボディー部で構成されます。【００１６】  ｂ．では、ビット情報と音響波形の関係を表します。音響波形は、ＡＤＰＣＭコーデックにより転送するビット情報に従って作成します。ボディー部では、不規則なデータ配列となるため、バイフェイズ方式を活用し音響帯域を確保します。また、ｃ．では、プリアンブルビットパターンの定義例と音響位相判定の関係を表します。【図２】 
【００１７】  図２では、本発明を実施する形態の具体例および本発明を活用した商品の簡素化の具体例を表します。ネットワーク非接続のターゲットをここでは、事務（家庭）用品に見られるラベルプリンターとします。商品のユーザーは、ラベルプリンターに出力したい内容を、携帯メールで作成し、商品のサポートサイトにメール送信します。サポートサーバーではメールの内容を出力フォントデータに変換し、携帯着メロ情報に符号化して返信（もしくはファイルサーバーより提供）します。ユーザーは、返信した着メロをターゲットに音響転送することによりメッセージがプリント出力されます。これにより、ｂ．で表すように、専用キーボード・液晶表示・処理プロセッサ・フォントデータベースが省略出来ます。
【図１】
2006129408.tif 000003
【図２】
2006129408.tif 000004